(57)【要約】【課題】容器表面の結露防止機能と容器内の飲料の保冷性、保温性とに優れ、組み立て、位置決めが容易で嵩張らない使い捨てタイプの飲料用多重容器を提供する。【解決手段】上記課題を解決するために本発明の飲料用多重容器１は、組立て時に最内方に配置されて飲料Ｗを注ぐ容器として直接使用される内側容器３と、組立て時に前記内側容器３の外方に配置されて、前記内側容器３を被覆する保護カバーとしても機能する前記内側容器３よりもサイズの大きな一または複数の外側容器５と、前記重ね合わされる内側容器３と外側容器５の間に設けられ、両者を位置決めした状態で固定して取り外すことが可能な位置決め固定構造７と、を備えている。【選択図】  図１
2013100130.tif 000002
【特許請求の範囲】
【請求項１】
サイズの違う複数の容器を内外に重ね合わせて使用する使い捨てタイプの飲料用多重容器であって、
組立て時に最内方に配置されて飲料を入れる容器として使用される内側容器と、
組立て時に前記内側容器の外方に配置されて、前記内側容器を被覆する前記内側容器よりもサイズの大きな一または複数の外側容器と、
前記重ね合わされる内側容器と外側容器を互いに対して位置決めした状態で取り外し可能に固定する位置決め固定構造と、を備えていることを特徴とする飲料用多重容器。
【請求項２】
請求項１に記載の飲料用多重容器において、
前記内側容器と外側容器は、互いに切り離した単体状態でも同じサイズごとに重ね合わせたり、個別の飲料用容器として使用できるように構成されていることを特徴とする飲料用多重容器。
【請求項３】
請求項１または２に記載の飲料用多重容器において、
前記位置決め固定構造によって位置決めされた内側容器と外側容器との間には、空気層が形成されていることを特徴とする飲料用多重容器。
【請求項４】
請求項１〜３のいずれか１項に記載の飲料用多重容器において、
前記位置決め固定構造は、前記内側容器の上縁部外方に設けられる係合凸部と、
前記外側容器の上縁部内方の上記係合凸部と対向する位置に設けられる係合凹部と、を備えることによって構成されていることを特徴とする飲料用多重容器。
【請求項５】
請求項１〜４のいずれか１項に記載の飲料用多重容器において、
前記位置決め固定構造は、前記内側容器の底板部下面と前記外側容器の底板部上面との間に設けられる段差係合凹部と段差係合凸部と、を備えることによって構成されていることを特徴とする飲料用多重容器。
【請求項６】
請求項１〜５のいずれか１項に記載の飲料用多重容器において、
前記位置決め固定構造は、前記内側容器の胴部上部と前記外側容器の胴部上部との間に形成されている間隙に嵌まる嵌合凸部を有する、前記内側容器の上部の開口部を塞ぐ係合蓋を備えることによって構成されていることを特徴とする飲料用多重容器。
【請求項７】
請求項６に記載の飲料用多重容器において、
前記係合蓋には、前記外側容器の胴部上部を外側から係止する係止爪部が設けられていることを特徴とする飲料用多重容器。
【請求項８】
請求項１〜７のいずれか１項に記載の飲料用多重容器において、
前記内側容器の上縁部と前記外側容器の上縁部の外径が略同一であり、
前記位置決め固定構造は、重ね合わされた状態の前記内側容器と外側容器の上縁部の外周面に当接ないし近接する内周面と、該上縁部をくるむように外方から係合する係合爪部と、を有する前記内側容器の上部開口面を塞ぐ係合蓋を備えることによって構成されていることを特徴とする飲料用多重容器。
【請求項９】
請求項８に記載の飲料用多重容器において、
前記内側容器の上縁部に連なる胴部上部の外径は、前記外側容器の上縁部に連なる胴部上部の内径と同じか幾分小さくなるように設定されており、
前記上縁部と胴部上部との接続点を起点とする前記内側容器の胴部の垂直軸に対する傾斜角度は、前記上縁部と胴部上部との接続点を起点とする前記外側容器の胴部の垂直軸に対する傾斜角度よりも大きくなるように設定されていることを特徴とする飲料用多重容器。
【請求項１０】
請求項６〜９のいずれか１項に記載の飲料用多重容器において、
前記係合蓋には、前記内側容器と外側容器に取り付けた状態で内側容器内の飲料を飲むことを可能にする飲用開口部が形成されていることを特徴とする飲料用多重容器。
【請求項１１】
請求項１〜５のいずれか１項に記載の飲料用多重容器において、
前記位置決め固定構造は、前記内側容器、前記外側容器、及び前記係合蓋を組み立てたときに半径方向外側の面が前記内側容器の胴部上部の内面に接するように構成される嵌合凸部を有する、前記内側容器の上部の開口部の少なくとも一部を覆う係合蓋を備えることによって構成されていることを特徴とする飲料用多重容器。
【発明の詳細な説明】
【技術分野】
【０００１】
本発明は、サイズの違う複数の容器を内外に重ね合わせて使用する使い捨てタイプの飲料用多重容器に関する。
【背景技術】
【０００２】
コーヒー等の飲料やファーストフード等を扱っているチェーン店等では、テイクアウトや店内での移動を容易にするために紙コップ等の使い捨て可能な飲料用容器が多く使用されている。  
このような飲料用容器の中には、飲料用容器表面の結露防止や飲料用容器内の飲料の保冷や保温を図るために下記の特許文献１に示すように内筒と外筒を重ね合わせた構造の飲料用多重容器が存在している。
【０００３】
また、上記飲料用容器表面の結露防止や飲料用容器内の飲料の保冷や保温の効果を高めるためには、重ね合わせる内筒と外筒との間に空気層を形成した状態で両者の位置決めを行う位置決め固定手段が必要になってくる。  
この場合、上述した特許文献１では、飲料用多重容器の底部に宛てがうネジ式の緊締環を利用して外筒下部の押さえ片を内方に弾性変形させて内筒下部の外表面を掴むようにした位置決め固定手段が開示されている。
【０００４】
また、下記の特許文献２、３に示すようにグラスの上部を除く表面を断熱作用を有するグラスカバーで被覆することで上記飲料用容器表面の結露の発生等を防止するようにした飲料用多重容器も存在している。  
そして、これらの飲料用多重容器の場合には、グラスカバー自体を伸縮性のある合成ゴム材料によって形成したり、グラスカバーの内壁面にグラスの外周面に当接する突条や突起あるいはヒダ等を形成することでグラスとグラスカバー間の位置決めと固定を図っている。
【先行技術文献】
【特許文献】
【０００５】
【特許文献１】実開平５−８６２６８号公報
【特許文献２】実開平６−４６５７６号公報
【特許文献３】実用新案登録第３０５８４７１号公報
【発明の概要】
【発明が解決しようとする課題】
【０００６】
しかし、上記特許文献１に開示されている飲料用多重容器は、構造が複雑で部品点数が多くなることから、製品コストが高くなる。また、内筒と外筒は常時、組み合わせて使用することを前提にしており、内筒と外筒を切り離してそれぞれ単独で使用することはできない。  
また、上記構造の飲料用多重容器は、組み立てた状態でも分解した状態でも嵩張ってしまうため、保管や運搬に不便であり、限られたスペースしかない小店舗では、保管スペース等の関係でその採用は困難になっている。
【０００７】
また、上記特許文献２、３に開示されている飲料用多重容器の場合にも、グラスカバーの形状、厚さ等から保管や運搬が不便であり、同様に店舗内での保管スペース等の関係から、小店舗での採用は困難である。  
更に、グラスとグラスカバーによって構成される上記飲料用多重容器は、テイクアウト等に使用するにはコスト、構造両面で不向きであり、テイクアウト商品等を扱っている店舗では事実上その採用は不可能である。
【０００８】
そこで、本発明が解決しようとする課題は、サイズの違う複数の容器を内外に重ね合わせて使用する使い捨てタイプの飲料用多重容器において、上記２種類の容器は、組み合わせた状態でも切り離した状態でも使用でき、構造が簡単で部品点数が少なく、嵩張らないため保管性に優れ、組み立て、位置決めが容易で容器表面の結露防止機能と、容器内の飲料の保冷性及び保温性とに優れた飲料用多重容器を提供することにある。
【課題を解決するための手段】
【０００９】
上記課題を解決するために、本発明の飲料用多重容器は、サイズの違う複数の容器を内外に重ね合わせて使用する使い捨てタイプの飲料用多重容器であって、組立て時に最内方に配置されて飲料を入れる容器として直接使用される内側容器と、組立て時に前記内側容器の外方に配置されて、前記内側容器を被覆する前記内側容器よりもサイズの大きな一または複数の外側容器と、前記重ね合わされる内側容器と外側容器の間に設けられ、両者を位置決めした状態で固定して取り外すことが可能な位置決め固定構造と、を備えていることを特徴とするものである（第１の態様）。
【００１０】
上記発明において、前記内側容器と外側容器は、互いに切り離した単体状態でも同じサイズごとに重ね合わせたり、個別の飲料用容器として使用できるように構成されていてもよい（第２の態様）。
【００１１】
上記発明において、前記位置決め固定構造によって位置決めされた内側容器と外側容器との間には、空気層が形成されていてもよい（第３の態様）。
【００１２】
上記発明において、前記位置決め固定構造は、前記内側容器の上縁部外方に設けられる係合凸部と、前記外側容器の上縁部内方の上記係合凸部と対向する位置に設けられる係合凹部と、を備えることによって構成されていてもよい（第４の態様）。
【００１３】
上記発明において、前記位置決め固定構造は、前記内側容器の底板部下面と前記外側容器の底板部上面との間に設けられる段差係合凹部と段差係合凸部と、を備えることによって構成されていてもよい（第５の態様）。
【００１４】
上記発明において、前記位置決め固定構造は、前記内側容器の胴部上部と前記外側容器の胴部上部との間に形成されている間隙に嵌まる嵌合凸部を有する、前記内側容器の上部の開口部を塞ぐ係合蓋を備えることによって構成されていてもよい（第６の態様）。
【００１５】
上記発明において、前記係合蓋には、前記外側容器の胴部上部を外側から係止する係止爪部が設けられていてもよい（第７の態様）。
【００１６】
上記発明において、前記内側容器の上縁部と前記外側容器の上縁部の外径が略同一であり、前記位置決め固定構造は、重ね合わされた状態の前記内側容器と外側容器の上縁部の外周面に当接ないし近接する内周面と、該上縁部をくるむように外方から係合する係合爪部と、を有する前記内側容器の上部開口面を塞ぐ係合蓋を備えることによって構成されていてもよい（第８の態様）。
【００１７】
上記発明において、前記内側容器の上縁部に連なる胴部上部の外径は、前記外側容器の上縁部に連なる胴部上部の内径と同じか幾分小さくなるように設定されており、前記上縁部と胴部上部との接続点を起点とする前記内側容器の胴部の垂直軸に対する傾斜角度は、前記上縁部と胴部上部との接続点を起点とする前記外側容器の胴部の垂直軸に対する傾斜角度よりも大きくなるように設定されていてもよい（第９の態様）。
【００１８】
上記発明において、前記係合蓋には、前記内側容器と外側容器に取り付けた状態で内側容器内の飲料を飲むことを可能にする飲用開口部が形成されていてもよい（第１０の態様）。
さらに、上記発明において、前記位置決め固定構造は、半径方向外側の面が前記内側容器の胴部上部の内面に接するように構成される嵌合凸部を有する、前記内側容器の上部の開口部の少なくとも一部を覆う係合蓋を備えることによって構成されていてもよい（第１１の態様）。
【発明の効果】
【００１９】
第１の態様によれば、飲料が入った内側容器の外方に外側容器が配置されているから、使用者が手に触れる外側容器の胴部表面には結露は発生せず、内側容器を被覆する外側容器による多重構造によって内側容器内の飲料の保冷性と保温性とが維持される。また、本発明では二重構造に限らず三重構造以上にすることも可能であるから、上記結露防止効果と保冷性及び保温性とを更に高めることが可能である。  
更に、内側容器と外側容器との間に設ける位置決め固定構造の採用によって、上記内側容器と外側容器を重ね合わせた状態で一体化されるため、単一の飲料用容器として使用できるし、使用しない場合には、両者を切り離して保管しておくことも可能である。
【００２０】
第２の態様によれば、上記内側容器と外側容器は、上述したように多重容器として両者を組み合わせて使用する他、両者を切り離して個別の飲料用容器として使用することが可能になる。  
従って、飲料の種類によっては、内側容器と外側容器を切り離して個別の飲料用容器として使用したり、両者を組み合わせて一体の多重容器として使用することも可能であり、容器の使用形態が拡大する。また、切り離された内側容器と外側容器は、同じサイズごと重ね合わせて保管することが可能であるから、容器の保管スペースの縮小に伴なう管理コストの削減が図られる。
【００２１】
第３の態様によれば、内側容器と外側容器との間に形成される空気層によって内側容器と外側容器との間の熱の伝搬が防止される。従って、外側容器表面の結露の発生が一層防止されるようになり、内側容器内の飲料の保冷性と保温性が更に向上する。  
【００２２】
第４の態様によれば、内側容器の上縁部外方に設けられる係合凸部と、外側容器の上縁部内方に設けられる係合凹部と、が係合することによって、内側容器と外側容器の主に上部水平方向での位置決めが実行される。  
従って、構造が簡単で水平方向での位置決め固定精度の高い位置決め固定構造を提供できるようになる。
【００２３】
第５の態様によれば、内側容器の底板部下面と外側容器の底板部上面との間に設けられる段差係合凹部と段差係合凸部と、が係合することによって、内側容器と外側容器の主に垂直方向と下部水平方向での位置決めが実行される。  
従って、構造が簡単で垂直方向での位置決め固定精度の高い位置決め固定構造を提供できるようになる。
【００２４】
第６の態様によれば、内側容器の胴部上部と外側容器の胴部上部との間に形成されている間隙に係合蓋の嵌合凸部が内嵌することによって、内側容器と外側容器の主に上部水平方向での位置決めが実行される。  
従って、構造が簡単で水平方向での位置決め固定精度の高い位置決め固定構造を提供できるようになる。
【００２５】
第７の態様によれば、係合蓋の係止爪部が外側容器の胴部上部に外側から係止されることによって係合蓋と内側容器ないし外側容器との一体性が向上し、係合蓋の不用意な脱落が防止される。
【００２６】
第８の態様によれば、重ね合わされて使用される複数の容器は、サイズが違うものの上縁部の外径はすべて略同一の構成になっている。従って、上記複数の容器の上縁部が上下に重ね合わされることによって、内側容器と外側容器の垂直方向での位置決めが実行される。  
また、上記複数の容器の上縁部の外周面に当接する内周面を有する係合蓋を採用することによって、内側容器と外側容器の水平方向の位置決めも実行されるから、構造が簡単で垂直方向と水平方向の位置決め固定精度の高い位置決め固定構造を提供できるようになる。
【００２７】
第９の態様によれば、内側容器の上縁部に連なる胴部上部の外径を外側容器の上縁部に連なる胴部上部の内径と同じか幾分小さくなるように設定したことにより、内側容器と外側容器の水平方向での位置決めが実行される。  
また、上縁部と胴部上部との接続点を起点とする内側容器の胴部の垂直軸に対する傾斜角度を、外側容器の胴部の傾斜角度よりも大きくなるように設定することによって、下方に行くに従って徐々に間隔が広くなる空気層が形成されるようになる。従って、上記係合蓋の作用に加えて、上記内側容器と外側容器の胴部の傾斜角度の作用で内側容器と外側容器の水平方向での位置決め固定精度が一層向上し、外側容器表面の結露防止機能や内側容器内の飲料の保冷性及び保温性の一層の向上も図られる。
【００２８】
第１０の態様によれば、係合蓋を内側容器と外側容器に取り付けた状態のまま、内側容器内の飲料を飲用開口部から飲むことが可能になる。従って、係合蓋を取り付けたことによる内側容器と外側容器の位置決め固定作用を維持したままでの飲用が可能になり、飲料用多重容器の使い勝手が向上する。
第１１の態様によれば、嵌合凸部を、前記内側容器、前記外側容器、及び前記係合蓋を組み立てたときに、嵌合凸部の半径方向外側の面が前記内側容器の胴部上部の内面に接するように構成することによって、内側容器と外側容器の、水平方向、上下方向の位置決めが実行される。従って、構造が簡単なうえに、水平方向、上下方向での位置決め固定精度の高い位置決め固定構造を提供できる。
【図面の簡単な説明】
【００２９】
【図１】本発明の第１の実施の形態に係る飲料用多重容器を示す分解した状態の側断面図（ａ）と、組み立てた状態の側断面図（ｂ）である。
【図２】本発明の第１の実施の形態に係る飲料用多重容器を示す外側容器の保管形態を示す側断面図（ａ）と、内側容器の保管形態を示す側断面図（ｂ）である。
【図３】本発明の第１の実施の形態に係る飲料用多重容器を示す位置決め固定構造を容器周方向の一部に配置した配置形態を示す平面図（ａ）と、容器周方向の略全周に配置した配置形態を示す平面図（ｂ）である。
【図４】本発明の第２の実施の形態に係る飲料用多重容器を示す分解した状態の側断面図（ａ）と、組み立てた状態の側断面図（ｂ）である。
【図５】本発明の第２の実施の形態に係る飲料用多重容器を示す外側容器の保管形態を示す側断面図（ａ）と、内側容器の保管形態を示す側断面図（ｂ）である。
【図６】本発明の第３の実施の形態に係る飲料用多重容器を示す分解した状態の側断面図（ａ）と、組み立てた状態の側断面図（ｂ）である。
【図７】本発明の第３の実施の形態に係る飲料用多重容器の係合蓋の種々の態様（ａ）（ｂ）（ｃ）を示す側断面図である。
【図８】本発明の第３の実施の形態に係る飲料用多重容器の係合蓋に形成する飲用開口部の２種の態様（ａ）（ｂ）を示す平面図と側断面図である。
【図９】本発明の第４の実施の形態に係る飲料用多重容器を示す分解した状態の側断面図（ａ）と、組み立てた状態の側断面図（ｂ）である。
【図１０】本発明の他の実施の形態に係る２種の飲料用多重容器を示す組み立てた状態の側断面図（ａ）（ｂ）である。
【図１１】図１１（ａ）は本発明の第３の実施の形態の変形例における係合蓋の態様を示す平面図であり、図１１（ｂ）はその側断面図である。
【発明を実施するための形態】
【００３０】
本発明の飲料用多重容器１は、サイズの違う複数の容器３、５を内外に重ね合わせて使用する使い捨てタイプの飲料用多重容器であって、組立て時に最内方に配置されて飲料Ｗを注ぐ容器として直接使用される内側容器３と、組立て時に前記内側容器３の外方に配置されて、前記内側容器３を被覆する保護カバーとしても機能する前記内側容器３よりもサイズの大きな一または複数の外側容器５と、前記重ね合わされる内側容器３と外側容器５の間に設けられ、両者を位置決めした状態で固定して取り外すことが可能な位置決め固定構造７と、を備えることによって基本的に構成されている。
【００３１】
また、以下説明する第１〜第４の実施の形態では、図２及び図５に示すように前記内側容器３と外側容器５は、互いに切り離した単体状態でも同じサイズごとに重ね合わせたり、個別の飲料用容器として使用できるように構成されている。  
また、前記位置決め固定構造７によって位置決めされた内側容器３と外側容器５との間には、空気層１１が形成されている。
【００３２】
以下、図１〜図３に示す（１）第１の実施の形態と、図４及び図５に示す（２）第２の実施の形態と、図６〜図８に示す（３）第３の実施の形態と、図９に示す（４）第４の実施の形態の４つの実施の形態を例にとって、本発明の飲料用多重容器１の構成を図面に基づいて具体的に説明する。
【００３３】
（１）第１の実施の形態（図１〜図３参照）
第１の実施の形態に係る飲料用多重容器１Ａは、内側容器３Ａが１つと、外側容器５Ａが１つ設けられた二重容器構造の飲料用多重容器である。  
内側容器３Ａは、一例として紙または合成樹脂製で上面に開口部１３、底面に上記開口部１３の口径より径の小さな底板部１５が形成された一例として円形断面の下窄まりテーパ形状の胴部１７と、該胴部１７の上部から一例として水平方向Ｈの外方に張り出すように形成されている円環状の上縁部１９と、を備えている。  
また、上記上縁部１９には、その外周に、後述する位置決め固定構造７Ａの構成部材になっている係合凸部２１を、外方に張り出すように有している。
【００３４】
外側容器５Ａは、一例として紙または合成樹脂製で上記内側容器３Ａを内方に収容することができる上記内側容器３Ａよりも一回り大きな部材で、上記内側容器３Ａと同様、上面に開口部２３、底面に上記開口部２３の口径より径の小さな底板部２５が形成された一例として円形断面の下窄まりテーパ形状の胴部２７と、該胴部２７の上部から一例として水平方向Ｈの外方に張り出すように形成されている円環状の上縁部２９と、を備えている。  
また、上記上縁部２９と連接されている上記胴部２７上部の内周面には、次に述べる位置決め固定構造７Ａの構成部材になっている係合凹部３１が形成されている。
【００３５】
位置決め固定構造７Ａは、上記内側容器３Ａの上縁部１９の外方に設けられる上述した係合凸部２１と、上記外側容器５の上縁部２９の内方の上記係合凸部２１と対向する位置に設けられる係合凹部３１と、を備えることによって基本的に構成されている。  
尚、上記係合凸部２１と係合凹部３１は、図３（ａ）に示すように内側容器３Ａと外側容器５Ａの周方向の一部の範囲に設けてもよいし、図３（ｂ）に示すように周方向の略全範囲に設けても構わない。
【００３６】
因みに、図３（ａ）では、平面視半円形状の係合凸部２１と係合凹部３１を１２０°間隔で３つずつ配置した配置態様を示しており、図３（ｂ）では、平面視円環状の係合凸部２１と係合凹部３１を設け、上記係合凸部２１の一部に分解時に使用する平面視半円形状の指掛け凹部３３を形成した配置態様を示している。なお、この指掛け凹部３３を設けない態様とすることも可能である。
【００３７】
また、このようにして構成される第１の実施の形態に係る飲料用多重容器１Ａを組み立てる場合には、図１（ａ）中、矢印で示すように外側容器５Ａの内部に軸心Ｌを一致させるように上方から内側容器３Ａを落とし込み、図１（ｂ）に示すように内側容器３Ａの上縁部１９の外方に突出している係合凸部２１を外側容器５Ａの胴部２７の上部内周面に形成されている係合凹部３１に係合させる。  
そして、上記係合凸部２１と係合凹部３１との係合によって、内側容器３Ａと外側容器５Ａの主に上部水平方向Ｈでの位置決めが実行される。
【００３８】
一方、飲料用多重容器１Ａを組み立てる前は、図２（ａ）（ｂ）に示すように同サイズの内側容器３Ａと外側容器５Ａとに分けて、これらを個別に重ね合わせることで嵩張らせることなく、すっきりとした形態で保管することが可能になっている。  
従って、本実施の形態の飲料用多重容器１Ａによれば、内側容器３Ａと外側容器５Ａを組み合わせた状態では外側容器５Ａ表面の結露防止機能と内側容器３Ａ内の飲料Ｗの保冷性及び保温性が発揮され、両者を切り離した状態では、上述した容器３Ａ、５Ａの保管スペースの縮小によって当該容器３Ａ、５Ａの管理コストの削減が図られるようになる。
【００３９】
（２）第２の実施の形態（図４及び図５参照）
第２の実施の形態に係る飲料用多重容器１Ｂは、前記第１の実施の形態と同様、内側容器３Ｂと外側容器５Ｂが１つずつ設けられた二重容器構造の飲料用多重容器である。  
内側容器３Ｂは、一例として紙または合成樹脂製で上面に開口部１３、底面に上記開口部１３の口径より径の小さな底板部１５が形成された一例として円形断面の下窄まりテーパ形状の胴部１７と、上記底板部１５の下面の中心を上方に円錐台形状に凹ませた後述する位置決め固定構造７Ｂの構成部材になっている段差係合凹部３５と、を備えている。
【００４０】
外側容器５Ｂは、一例として紙または合成樹脂製で上記内側容器３Ｂを内方に収容することができる上記内側容器３Ｂよりも一回り大きな部材で、上記内側容器３Ｂと同様、上面に開口部２３、底面に上記開口部２３の口径より径の小さな底板部２５が形成された一例として円形断面の下窄まりテーパ形状の胴部２７と、上記底板部２５の上面の中心を上方に二段の円錐台形状に突出させた後述する位置決め固定構造７Ｂの構成部材になっている段差係合凸部３７と、を備えている。
【００４１】
位置決め固定構造７Ｂは、上記内側容器３Ｂの底板部１５の下面と上記外側容器５Ｂの底板部２５の上面との間に設けられている上述した段差係合凹部３５と段差係合凸部３７と、を備えることによって基本的に構成されている。  
また、このようにして構成される第２の実施の形態に係る飲料用多重容器１Ｂを組み立てる場合には、図４（ａ）中、矢印で示すように外側容器５Ｂの内部に軸心Ｌを一致させるように上方から内側容器３Ｂを落とし込み、図４（ｂ）に示すように内側容器３Ｂの底板部１５下面の段差係合凹部３５に外側容器５Ｂの底板部２５上面の段差係合凸部３７の上方の凸部３７ａを係合させる。
【００４２】
一方、飲料用多重容器１Ｂを組み立てる前は、前記第１の実施の形態と同様、図５（ａ）（ｂ）に示すように同サイズの内側容器３Ｂと外側容器５Ｂとに分けて、これらを個別に重ね合わせることで嵩張らせることなく、すっきりとした形態で保管することが可能になっている。  
従って、本実施の形態の飲料用多重容器１Ｂによっても、前記第１の実施の形態と同様の作用、効果が発揮される。また、本実施の形態にあっては、上記段差係合凹部３５と段差係合凸部３７との係合によって、内側容器３Ｂと外側容器５Ｂの垂直方向Ｖでの位置決めと下部水平方向Ｈでの位置決めが実行されるようになる。
勿論、上述した第１の実施形態において例示した上記係合凸部２１と係合凹部３１からなる位置決め固定構造７Ａを、本実施の形態で示したような位置決め構造７Ｂと共に採用することも可能である。その場合、容器の上方及び底面の両部分で容器の相対的な位置決めがなされるため、容器の安定性を更に向上させることができる。
【００４３】
（３）第３の実施の形態（図６〜図８参照）
第３の実施の形態に係る飲料用多重容器１Ｃは、前記第２の実施の形態に係る飲料用多重容器１Ｂと同様の構成の内側容器３Ｃと外側容器５Ｃに対して、更に係合蓋３９を付加した構成になっている。  
従って、前記第２の実施の形態と同様の内側容器３Ｃと外側容器５Ｃの構成については、ここでは説明を省略し、前記第２の実施の形態と相違する係合蓋３９と、該係合蓋３９を含んだ位置決め固定構造７Ｃの構成を中心に説明する。
【００４４】
即ち、本実施の形態では、位置決め固定構造７Ｃが、前記段差係合凹部３５と段差係合凸部３７との係合作用に加えて、次に述べる係合蓋３９の嵌合凸部４１と、上記内側容器３Ｃと外側容器５Ｃ間の間隙４３との嵌合作用が組み合わされることによって構成されている。  
そして、係合蓋３９は、図８（ａ）に示すように平面図円形の天板部４４と、該天板部４４の外周部に下方に折り曲げられた円環状の縁部４５と、が形成された内側容器３Ｃの上部の開口部１３を塞ぐための部材である。
【００４５】
また、上記係合蓋３９の天板部４４の外周寄りには、下方に向けて突出する円環状の嵌合凸部４１が形成されており、該嵌合凸部４１が内側容器３Ｃの胴部１７の上部と外側容器５Ｃの胴部２７の上部との間に形成されている間隙４３に内嵌することによって、上述した位置決め固定構造７Ｃとしての機能を有するように構成されている。  
また、上記縁部４５の内周面の下部には、内方に向けて突出する係止爪部４７が形成されており、該係止爪部４７によって外側容器５Ｃの胴部２７の上部を外側から係止し得るように構成されている。尚、上記係止爪部４７を係止状態にすることによって、内側容器３Ｃ内の飲料Ｗの液漏れが防止される。
【００４６】
尚、上記嵌合凸部４１の断面形状は種々の形状が採用でき、図７（ａ）に示すような断面の外形が矩形状の嵌合凸部４１Ａを有する係合蓋３９Ａであってもよいし、図７（ｂ）に示すような断面の外形が三角形状の嵌合凸部４１Ｂを有する係合蓋３９Ｂであってもよいし、図７（ｃ）に示すような断面の外形が半円形状の嵌合凸部４１Ｃを有する係合蓋３９Ｃであっても構わない。
【００４７】
また、上記係合蓋３９には、図８（ａ）（ｂ）に示すように内側容器３Ｃと外側容器５Ｃに取り付けた状態で内側容器３Ｃ内の飲料Ｗを飲むことを可能にする飲用開口部４９を形成することが可能である。  
因みに、図８（ａ）では、ストローを使用して飲料Ｗを飲むような場合に使用できるＸ字状のスリット５１が飲用開口部４９として係合蓋３９の天板部４４の中心に形成された態様が開示されており、図８（ｂ）では、直接、口にくわえて飲料Ｗを飲む場合に使用できるキャップ５３付きのノズル５５を備えた飲用開口部４９が同じく係合蓋３９の天板部４４の中心に形成された態様が図示されている。また、図示していないが、係合蓋３７の天板部４４の嵌合凸部よりも半径方向内側に、少なくとも例えばシャーベットやクリーム状の食品をスプーンですくって食することができるように、図８（ｂ）の飲用開口部４９と比較して開口部径が大きな飲用開口部を形成してもよい。このような飲用開口部は、内側容器３Ｃの上縁部分とオーバーラップして内側容器３Ｃが外へ飛び出すことがないように抑制する領域が嵌合凸部４１の内周側の側壁より内側に形成される程度に、飲用開口部の直径を大きくすることが可能である。また、嵌合凸部４１と飲用開口部との寸法を調整して、係合蓋３７を外側容器５及び内側容器３を所定の位置に保持するためのフレーム状の位置決め固定構造とすることもできる。
【００４８】
そして、このようにして構成される本実施の形態の飲料用多重容器１Ｃによっても、前記第２の実施の形態と同様の作用、効果が発揮され、更に本実施の形態にあっては、上記係合蓋３９の嵌合凸部４１と間隙４３との嵌合によって、内側容器３Ｃの胴部１７の上部と外側容器５Ｃの胴部２７の上部での水平方向Ｈの位置決めが実行されるようになる。
【００４９】
（４）第３の実施の形態の変形例
上述した第３の実施の形態では、係合蓋３９の天板部４４の外周寄りに、下方に向けて突出する円環状の嵌合凸部４１を形成し、該嵌合凸部４１を内側容器３Ｃの胴部１７の上部と外側容器５Ｃの胴部２７の上部との間に形成されている間隙４３に内嵌させることによって、上述した位置決め固定構造７Ｃとしての機能を有するように構成したが、係合蓋３９に設ける位置決め固定構造は、このような形態に限定されるものではない。
【００５０】
例えば、図６に示したような段差係合凸部３５、３７を設けた内側容器３、外側容器５において、内側容器３の胴部上部から水平方向外方へ張り出す円環状の上縁部を形成するとともに、外側容器５の胴部上方から水平方向外方へ張り出す円環状の上縁部を形成する。これらの上縁部は図１に示した上縁部に類似するが、内側容器３に設けた上縁部の外周は、外側容器５に設けた上縁部の内周と略同一の直径を有するように形成し、外側容器５の内面に係合凹部を設けない点で、図１の内側容器・外側容器と相違する。内側容器３の上縁部の上面は、外側容器５内に収容したときに外側容器５の上縁部の上面と略同一の高さとなるように寸法決めされることが好ましい。外側容器５の上縁部の外周は、係合蓋３９の外周部で下方に折り曲げられた円環状の縁部４５に、例えばスナップ嵌めによって内嵌可能な直径を有するように形成される。
そして、係合蓋３９の天板部４４から下方へ突出する嵌合凸部は、その外側面が内側容器３の胴部上部の内面に接するように寸法が決定される。具体的には、図１１（ａ）、（ｂ）に示したように、図６、図７に示した嵌合凸部４１よりも係合蓋３９の半径方向内側に嵌合凸部４１’が形成される。さらに、係合蓋３９の、嵌合凸部４１’の外側面上縁から連続し、該外側面より係合蓋３９の半径方向外方側に形成され、天板部４４から上方へ向かってへこむ第１の凹部４４Ａが形成される。この第１の凹部４４の幅、凹部の深さ、半径方向位置は、組み立てたときに内側容器３の上縁部を受けることができる幅、深さ及び半径方向深さとされる。さらにまた、該第１の凹部４４Ａの外周側の周縁部より半径方向外側に第２の凹部４４Ｂが形成され、該第２の凹部４４Ｂの外周部から下方へ向かって円環状の縁部４５が形成される。外側容器５の上縁部を安定的に保持することができるように、この縁部４５の上端内周面から半径方向外方へ向かって内面が凹む第３の凹部４５Ａを形成してもよい。第３の凹部４５Ａは、外側容器５の上縁部を例えばスナップ嵌めできるような寸法を有する。
【００５１】
このような構成において、内側容器３を外側容器５内に収容した状態で係合蓋３９を上方から嵌合させると、内側容器３は、段差係合部３５、３７によって水平方向への移動が規制されるとともに、段差係合部３５、３７と係合蓋３９とにより内側容器３の外側容器５内での上下方向（水平方向に略垂直な方向）の移動が規制される。
また、内側容器３の上縁部が天板部４４に設けられた第１の凹部４４Ａ内に受けられることで、第１の凹部４４Ａの内面及び半径方向外方の周縁と、嵌合凸部４１′の半径方向外側面と、外側容器５の胴部上部の内面とによって、内側容器の上縁部の水平方向位置が保持される。
また、外側容器５の上縁部が係合蓋３９の第２の凹部４４Ｂ内に受けられ、更に、外側容器５の上縁部が係合蓋３９の第３の凹部４５Ａに嵌合されることにより、第２の凹部４４Ｂの内周縁と第３の凹部４５Ａとにより、外側容器５の係合蓋に対する水平方向位置が保持される。
このような位置決め固定構造によって、内側容器３の上下方向・水平方向への、外側容器３に対する相対的な移動が妨げられ、上述したような実施形態と同様の作用、効果が発揮される。
【００５２】
なお、外側容器の胴部上部の内面に、内側容器３の上縁部を下方から支持することができるように半径方向内側に向かって突出する段部を設けてもよい。
また、この変形例のように内側容器３の上縁部が外側容器５の上縁部の内側に収まるように構成するとともに第３の凹部４５Ａを形成した場合には、図６（ａ）、図６（ｂ）に示した係止爪部４７を形成しなくてもよい。係止爪部を設けない構成においては、嵌合蓋３９の縁部４５は、第３の凹部４５Ａの下側に、下方に向かって且つ半径方向外方へ向かって広がるフレア状に形成するように構成できるので、係合蓋３９の着脱に大きな力を必要とせず、簡便な着脱が可能となる。
さらに、係合蓋３９の飲用開口部の外径を、嵌合凸部４１の内周側の側壁より内側に設けられ且つ内側容器３の上縁部分とオーバーラップして内側容器３が外へ飛び出すことがないように抑制する領域が存在する限りにおいて、飲用開口部の直径を大きくすることが可能である。また、嵌合凸部４１と飲用開口部との寸法を調整して、係合蓋３７を外側容器５及び内側容器３を所定の位置に保持するためのフレーム状の位置決め固定構造とすることもできる。
【００５３】
（５）第４の実施の形態（図９参照）
第４の実施の形態に係る飲料用多重容器１Ｄは、前記第１の実施の形態に係る飲料用多重容器１Ａと同様、内側容器３Ｄと外側容器５Ｄに上縁部５７、６１が形成されており、前記第３の実施の形態に係る飲料用多重容器１Ｃと同様の係合蓋５９を有し、該係合蓋５９を使用して上記上縁部５７、６１を保持する位置決め固定構造７Ｄが採用されている。  
ただし、上縁部５７、６１と係合蓋５９の構成と作用が、前記２つの実施の形態と一部相違しており、この相違している部分が本実施の形態の特徴になっている。
【００５４】
従って、以下の説明では前記第１及び第３の実施の形態と共通する部分については説明を省略し、これらの実施の形態と相違する上縁部５７、６１、係合蓋５９及びこれらを使用した位置決め固定構造７Ｄの構成と作用を中心にして説明する。  
即ち、本実施の形態では、内側容器３Ｄの上縁部５７と外側容器５Ｄの上縁部６１の外径が略同一になるように形成されており、内側容器３Ｄの上縁部５７に連なる胴部１７の上部の外径が外側容器５Ｄの上縁部６１の胴部２７の上部の内径と同じか幾分小さくなるように設定されている。
【００５５】
これに伴ない、組み立てた状態の飲料用多重容器１Ｄでは、内側容器３Ｄの上縁部５７と外側容器５Ｄの上縁部６１が図９に示すように上下に重ね合わされた状態となり、これらの外周面がすべて揃うように構成されている。  
また、係合蓋５９は、前記第３の実施の形態の係合蓋３９と同様の構成の天板部６３と縁部６５を有しており、該縁部６５の高さが前記実施の形態の縁部４５の高さよりも幾分高くなるように形成されている。また、該縁部６５の内周面６６の下部には前記実施の形態の係止爪部４７と同様、内方に張り出した係合爪部６７が形成されている。
【００５６】
また、本実施の形態では、上記上縁部５７と胴部１７上部との接続点Ｏ１を起点とする内側容器３Ｄの胴部１７の垂直軸Ｌに対する傾斜角度θ１が、上記上縁部６１と胴部２７上部との接続点Ｏ２を起点とする外側容器５Ｄの胴部２７の垂直軸Ｌに対する傾斜角度θ２よりも大きくなるように設定されている。  
そして、本実施の形態では、位置決め固定構造７Ｄが重ね合わされた状態の内側容器３Ｄと外側容器５Ｄの上縁部５７、６１の外周面５８、６２に当接ないし近接する内周面６６と、上記上縁部５７、６１をくるむように外方から係合する上述した係合爪部６７と、を有する係合蓋５９を備えることによって構成されている。
【００５７】
従って、本実施の形態では、内側容器３Ｄの胴部１７の上部の外径と外側容器５Ｄの胴部２７の上部の内径を同一または略同一にしたことと、内側容器３Ｄと外側容器５Ｄの上縁部５７、６１のそれぞれの外周面５８、６２に当接ないし近接する上記係合蓋５９の縁部６５の内周面６６の存在によって内側容器３Ｄと外側容器５Ｄの水平方向Ｈの位置決めが実行されている。
【００５８】
また、上下に重ね合わされる内側容器３Ｄと外側容器５Ｄの上縁部５７、６１と、これらをくるむようにして内側容器３Ｄの上縁部５７の上面と外側容器５Ｄの上縁部６１の下面に当接する上記係合蓋５９の天板部６３の外周部下面の上記係合爪部６７とによる挟持作用と、によって内側容器３Ｄと外側容器５Ｄの垂直方向Ｖの位置決めが実行されている。
【００５９】
そして、このようにして構成される本実施の形態の飲料用多重容器１Ｄによっても、前記第３の実施の形態と同様の作用、効果が発揮され、更に本実施の形態にあっては、内側容器３Ｄの胴部１７の傾斜角度θ１を外側容器５Ｄの胴部２７の傾斜角度θ２よりも大きくしたことによって、両者の間に下方に行くに従って、間隔４３が広くなる、より大きな空気層１１が形成されるから、外側容器５Ｄ表面の結露防止機能と内側容器３Ｄ内の飲料Ｗの保冷性ないし保温性とが、より顕著に発揮されるようになる。
【００６０】
以上が、本発明の基本的な実施の形態であるが、本発明の飲料用多重容器１は、上述した実施の形態に限定されるものではなく、本発明の要旨を逸脱しない範囲内の部分的構成の変更や省略、あるいは当業者において周知、慣用の技術を追加することが可能である。  
例えば、本発明の飲料用多重容器１は、前記第１〜第４の実施の形態において採用した二重容器構造に限らず、三重以上に重ね合わせた構造を採用することが可能である。そして、図１０では三重容器構造の２種類の飲料用多重容器１Ｅと１Ｆが図示されている。
【００６１】
このうち、図１０（ａ）に示す飲料用多重容器１Ｅは、前記第１の実施の形態の飲料用多重容器１Ａの外側容器５Ａの外方に空気層１１を隔てて外側容器５Ａを更に一重追加したものである。  
一方、図１０（ｂ）に示す飲料用多重容器１Ｆは、前記第３の実施の形態の飲料用多重容器１Ｃの外側容器５Ｃの外方に同じく空気層１１を隔てて外側容器５Ｃを更に一重追加したものである。
【００６２】
また、図１０（ｂ）に示す飲料用多重容器１Ｆの場合には、内側容器３Ｃと内方の外側容器５Ｃの間と、内外の外側容器５Ｃ、５Ｃ間とに２つの間隙４３、４３が形成されているから、これらの間隙４３、４３に対応する位置に２つの嵌合凸部４１、４１が形成された係合蓋６９が使用されている。  
そして、このようにして構成される飲料用多重容器１Ｅと１Ｆによっても、前記第１及び第３の実施の形態と同様の作用、効果が発揮され、更に空気層１１が２重に設けられることによって最外方の外側容器５Ａ、５Ｃの表面に付着する結露の発生をより確実に防止し、内側容器３Ａ、３Ｃ内の飲料Ｗの保冷性及び保温性を一層高めることが可能になる。
【００６３】
また、前記各実施の形態で使用した内側容器３と外側容器５は、異なるサイズの組み合わせを複数組用意しておくことが可能であり、客の注文等に応じて適宜のサイズの組み合わせの内側容器３と外側容器５を使用することができる。  
また、前記各実施の形態において採用した位置決め固定構造７を別の実施の形態に組み合わせたり、一部の構成を置換して適用することも可能である。
【産業上の利用可能性】
【００６４】
本発明の飲料用多重容器は、使い捨てタイプの飲料用容器を使用しているテイクアウト対応の店舗等で利用でき、特に構造が簡単で嵩張らない、組み立て、位置決めが容易で容器表面の結露防止機能と容器内の飲料の保冷性、保温性に優れた飲料用容器を提供したい場合に利用可能性を有する。
【符号の説明】
【００６５】
１  飲料用多重容器
３  内側容器
５  外側容器
７  位置決め固定構造
９  係合蓋
１１  空気層
１３  開口部
１５  底板部
１７  胴部
１９  上縁部
２１  係合凸部
２３  開口部
２５  底板部
２７  胴部
２９  上縁部
３１  係合凹部
３３  指掛け凹部
３５  段差係合凹部
３７  段差係合凸部
３７ａ  上方の凸部
３９  係合蓋
４１、４１′  嵌合凸部
４３  間隙
４４  天板部
４４Ａ  第１の凹部
４４Ｂ  第２の凹部
４５  縁部
４５Ａ  第３の凹部
４７  係止爪部
４９  飲用開口部
５１  スリット
５３  キャップ
５５  ノズル
５７  上縁部
５８  外周面
５９  係合蓋
６１  上縁部
６２  外周面
６３  天板部
６５  縁部
６６  内周面
６７  係合爪部
６９  係合蓋
Ｗ  飲料
Ｈ  水平方向
Ｖ  垂直方向
Ｌ  垂直軸（軸心）
θ  傾斜角度
Ｏ１、Ｏ２  接続点
【図１】
2013100130.tif 000003
【図２】
2013100130.tif 000004
【図３】
2013100130.tif 000005
【図４】
2013100130.tif 000006
【図５】
2013100130.tif 000007
【図６】
2013100130.tif 000008
【図７】
2013100130.tif 000009
【図８】
2013100130.tif 000010
【図９】
2013100130.tif 000011
【図１０】
2013100130.tif 000012
【図１１】
2013100130.tif 000013